(57)【要約】      （修正有）【課題】機械的影響が及ぼされていない感覚を保証する自動車用の回転式ライトスイッチを提供する。【解決手段】本回転式ライトスイッチは、軸線を中心として回転でき且つ軸線方向に移動でき、軸線方向位置インジケータに軸線方向で連結された、アクチュエータを有する。更に、回転位置インジケータ及び軸線方向位置インジケータから信号が供給される電子式評価回路を有し、この電子式評価回路は、永久的に記憶された決定マトリックスに従って、前記信号を使用して別個のスイッチング状態を得、車輛のライトシステムの作動に使用されるスイッチング制御信号にこれらのスイッチング状態を変換する。回転位置インジケータは、回転移動に対してほとんど抵抗を発生しないポテンショメータを含み、軸線方向位置インジケータは、光障壁システムの形態で実現され、同様に機械的反作用を生じない。かくして、回転式ライトスイッチの感覚がほぼ一貫する。【選択図】図１
2006069531.tif 000002
【特許請求の範囲】
【請求項１】
ライトシステムを持つ自動車用の回転式ライトスイッチにおいて、
軸線を中心として回転するように及び軸線方向に移動するように取り付けられた作動シャフトを持つアクチュエータと、
回転位置表示信号を提供する、前記シャフトと関連した回転位置インジケータと、
軸線方向位置表示信号を提供する、前記シャフトと関連した軸線方向位置インジケータと、
前記回転位置インジケータ及び前記軸線方向位置インジケータから表示信号が供給される電子式評価回路とを有し、
この電子式評価回路は、永久的に記憶された決定マトリックスを含み、前記電子式評価回路は前記表示信号を使用し、前記ライトスイッチの別個のスイッチング状態を検出し、これらの別個のスイッチング状態を、前記車輛の前記ライトシステムの作動に使用されるスイッチング制御信号に変換する、回転式ライトスイッチ。
【請求項２】
請求項１に記載の回転式ライトスイッチにおいて、
前記回転位置インジケータ及び前記軸線方向位置インジケータの表示信号の所定の組み合わせが前記決定マトリックスにエラーと記されている、回転式ライトスイッチ。
【請求項３】
請求項１又は２に記載の回転式ライトスイッチにおいて、
前記回転位置インジケータ及び前記軸線方向位置インジケータの表示信号の所定の組み合わせが前記決定マトリックスに不履行スイッチング状態と記されている、回転式ライトスイッチ。
【請求項４】
請求項１、２、又は３に記載の回転式ライトスイッチにおいて、
前記回転位置インジケータ及び前記軸線方向位置インジケータの前記表示信号の所定の組み合わせが前記決定マトリックスに不変スイッチ状態と記されている、回転式ライトスイッチ。
【請求項５】
請求項１乃至４のうちのいずれか一項に記載の回転式ライトスイッチにおいて、
前記回転位置インジケータの前記表示信号の所定の範囲が前記決定マトリックスに不確定移行領域と記されている、回転式ライトスイッチ。
【請求項６】
請求項１乃至５のうちのいずれか一項に記載の回転式ライトスイッチにおいて、
前記軸線方向位置インジケータの前記表示信号の所定の範囲が前記決定マトリックスに不確定移行領域と記されている、回転式ライトスイッチ。
【請求項７】
請求項１乃至６のうちのいずれか一項に記載の回転式ライトスイッチにおいて、
前記回転位置インジケータは、アクチュエータに連結されたポテンショメータを含む、回転式ライトスイッチ。
【請求項８】
請求項１乃至７のうちのいずれか一項に記載の回転式ライトスイッチにおいて、
前記軸線方向位置インジケータは、前記アクチュエータに連結された光障壁システムを含む、回転式ライトスイッチ。
【請求項９】
請求項８に記載の回転式ライトスイッチにおいて、
前記光障壁システムは、二つの光障壁及びエンコードした光障壁中断器を含む、回転式ライトスイッチ。
【請求項１０】
請求項９に記載の回転式ライトスイッチにおいて、
前記光障壁中断器は、軸線方向に移動自在に且つ回転不能に維持された支持体に取り付けられており、これは予備張力が加えられたばねによって、前記アクチュエータの軸線方向移動に従うように行われる、回転式ライトスイッチ。
【請求項１１】
請求項１０に記載の回転式ライトスイッチにおいて、
前記作動シャフトは、前記作動シャフトの二つの回転位置間で周方向に延びる軸線方向に盛り上がった傾斜部を有し、前記支持体は対応する逆の傾斜部を有する、回転式ライトスイッチ。
【請求項１２】
請求項１１に記載の回転式ライトスイッチにおいて、
前記傾斜部及び前記逆の傾斜部の各々は、周方向で互いから離間されており且つ互いに関して軸線方向にオフセットしている異なる半径方向平面に配置された二つのストップ面を連結する、回転式ライトスイッチ。
【発明の詳細な説明】
【技術分野】
【０００１】
本発明は、軸線を中心として回転させることができ且つ軸線に沿って軸線方向に移動できる作動シャフトを持つ自動車用回転式ライトスイッチに関する。
【背景技術】
【０００２】
回転式ライトスイッチは、自動車で広く使用されている。概して、作動シャフトは、様々な回転位置にラッチ止めされ且つ引っ張ったときに特定の回転位置で軸線方向に移動できる摘まみに連結されている。回転式ライトスイッチの様々なスイッチング位置、即ち回転角度と軸線方向位置の組み合わせ、は、パーキングライト、サイドライト、ヘッドライト、前フォグランプ、及び後フォグランプ等の自動車のライトシステムの作動を最終的に決定する電気スイッチのスイッチング状態と対応する。
【０００３】
車輛の運転者が手で操作して作動する回転式ライトスイッチになったとき、一貫した感覚を与えることが重要である。しかしながら、これは、アクチュエータを介して手で操作して直接作動される機械的スイッチ及びスイッチ接点で対処しなければならない機械的要因で決定される。温度の影響及び経年変化によってこれらの機械的要因及びかくしてその感覚が変化することは不可避である。
【発明の開示】
【発明が解決しようとする課題】
【０００４】
本発明の目的は、機械的影響が及ぼされていない感覚を保証する自動車用回転式ライトスイッチを提供することである。
【課題を解決するための手段】
【０００５】
本発明による回転式ライトスイッチは、軸線を中心として回転でき且つ軸線方向に移動でき、回転位置インジケータに回転しないように連結され、軸線方向位置インジケータに軸線方向で連結された、アクチュエータを有する。更に、回転位置インジケータ及び軸線方向位置インジケータから信号が供給される電子式評価回路を有し、この電子式評価回路は、永久的に記憶された決定マトリックスに従って、前記信号を使用して別個のスイッチング状態を得、車輛のライトシステムの作動に使用されるスイッチング制御信号にこれらのスイッチング状態を変換する。
【０００６】
回転位置インジケータは、回転移動に対して抵抗をほとんど発生しないポテンショメータを含み、そのため、回転位置インジケータには機械的影響が及ぼされない。軸線方向位置インジケータは、光障壁システムの形態で実現でき、これも同様に機械的反作用を生じない。かくして、回転式ライトスイッチの感覚がほぼ一貫したままである。
【０００７】
本発明による決定マトリックスは重複を導入する。これにより、理論的に可能な故障の場合に信頼性のある不履行スイッチング機能を確実にし、危険なスイッチング機能をなくす。かくして、本発明の好ましい実施例では、回転位置インジケータ及び軸線方向位置インジケータからの信号の特定の組み合わせがマトリックスにエラーと記されている。更に、回転位置インジケータ及び軸線方向位置インジケータの信号の特定の組み合わせが決定マトリックスに不変スイッチ状態と記されている。最後に、回転位置インジケータ及び軸線方向位置インジケータの表示信号の特定の範囲が決定マトリックスに不確定移行領域と記されている。これらの計測結果により、車輛のライトシステムのエラー状態を信頼性を以てなくす。
【０００８】
添付図面を参照して本発明のこの他の利点及び特徴を以下に説明する。
【発明を実施するための最良の形態】
【０００９】
図１では、参照番号１０がベースプレートに付してあり、このベースプレートは、その外側にプラグインコネクタ１２を有し、その内側にプリント回路基板１４を有する。プリント回路基板１４はベースプレート１０に機械的に連結されており、接触ピン１６を有する。プリント回路基板１４の中央には回転ポテンショメータ１８が設けられている。この回転ポテンショメータ１８は、溝状アクチュエータ２６が自由端に設けられた作動アーム２０を有する。作動シャフト２４は、回転式ライトスイッチの回転軸線Ａを中心として回転させることができると同時に、この軸線Ａに沿って軸線方向に移動させることができる。作動シャフト２４は、軸線方向に延びる作動フィンガ２２を有し、このフィンガ内に溝型アクチュエータ２６が軸線方向に移動自在であるが回転不能であるように係合する。更に、作動シャフト２４は、ベースプレート１０に向かって配向された傾斜エレメント３０を持つ半径方向ストップリング２８を有する。図１に示す機能エレメントは、ポット状ハウジング（図示せず）に収容される。
【００１０】
作動シャフト２４は、図１のａに示す摘まみ３２に回転不能であり且つ軸線方向でしっかりと連結されており、半径方向に突出したばね負荷されたラッチピン２４ａを有する。ハウジング（図示せず）に連結されたガイドブッシュ３４が作動シャフト２４をラッチピン２４ａの高さで取り囲んでいる。ガイドブッシュには、ラッチピン２４ａが走行する内ラッチ曲線３６が設けられている。ラッチ曲線３６は、摘まみ３２及び作動シャフト２４の様々な回転位置及び軸線方向位置を画定する。
【００１１】
図１のａは、同様に、傾斜エレメント３０と相補的な傾斜エレメント４０を持つリング状支持体３８（これは、簡単化を図るため、図１では省略してある）を示す。軸線方向に及びベースプレート１０の方向に延びる光障壁中断器４２が、半径方向平面に配置された支持体３８のリングエレメントに取り付けられている。支持体３８は、傾斜エレメント４０及び光障壁中断器４２とともに軸線方向に自由に移動できるように構成されており、前記支持体３８は、前記ストップリング２８の軸線方向位置に従属するように、ベースプレート１０に作用する圧縮ばね４４、４６によってストップリング２８に押し付けられている。従って、光障壁中断器４２は、更に、作動シャフト２４の軸線方向位置に従う。
【００１２】
光障壁システムは、プリント回路基板１４に設けられている。光障壁システムは、光トランスミッター５０、二つの光レシーバー５２、５４、及び光障壁中断器４２を含む。光トランスミッター５０及び二つの光レシーバー５２、５４は三角形の頂点に配置されている。光障壁中断器４２は、主ウィング４２ａが、一方では光トランスミッター５０と、他方では光レシーバー５２、５４との間に置かれ、シールドウィング４３ｂが光レシーバー５２、５４に置かれた状態でプリント回路基板１４の開口部５６を通過する。主ウィング４２ａは、遮断ウィング及び通過ウィンドウの形態のエンコーディングをシールドウィングの両側に有する。信号値「１」（光を光レシーバーに通すことができる）は、一つの通過ウィンドウと関連し、信号値「０」（光レシーバーへの光路が中断される）は、一つの遮断ウィングと関連する。図３に示す実施例では、光障壁中断器４２は、信号値対「０／０」、「１／１」、「１／０」、及び「０／１」を具体化する。これらは、軸線方向で互いから所定距離のところにある。これらの四つの信号値対の各々は、支持体３８及び光障壁中断器４２の四つの可能な軸線方向位置の一つと対応する。遮断ウィング及び通過ウィンドウの変形例の構成を図３のａに示す。
【００１３】
シャフト２４の回転移動は、アクチュエータ２６及び作動アーム２０を介して回転ポテンショメータ１８のワイパーに伝達される。従って、回転ポテンショメータ１８のワイパーのところで捕捉された電圧は、作動シャフトの回転角度の計測値として役立つ。従って、回転ポテンショメータは、回転式ライトスイッチの回転位置インジケータを構成する。
【００１４】
光障壁中断器４２を持つ支持体３８は、作動シャフト２４の軸線方向移動に従う。その最も深い軸線方向位置に加え、作動シャフト２４は、更に、第１及び第２の「引っ張り」位置を有する。光障壁中断器４２を持つ支持体３８は、支持体３８が圧縮ばね４４、４６によってストップリング２８に押し付けられるように傾斜エレメント３０及び４０の傾斜面が互いに摺動する別の軸線方向位置をとることができる。光障壁システムは、光障壁中断器４２の四つの可能な軸線方向位置の各々について、信号値対「０／０」、「１／１」、「１／０」、及び「０／１」のうちの一つを供給する。かくして、光障壁システムは、回転式ライトスイッチ用の軸線方向位置インジケータを構成する。
【００１５】
図４に示す実施例では、回転ポテンショメータ１８又は作動シャフト２４の回転角度領域を６つの別個の回転位置に分ける。これらの位置の各々は、不確定の角度領域によって分離されている。０°乃至９６°の間に、回転位置ＰＬ（左パーキングライト）、ＰＲ（右パーキングライト）、Ｏ（切り）、Ａ（自動）、ＳＬ（側方ライト）、ＦＬ（ハイビーム）が互いにこの順で並んでいる。これらは、不確定の角度領域Ｖ、Ｗ、Ｘ、Ｙ、及びＺの一つによって互いに分離されている。図４（同様に例である）は、同様に、例として、光障壁中断器４２の四つの可能な軸線方向位置、及び二つの光障壁ＬＳ１及びＬＳ２を含む光障壁システムの、作動シャフト２４の回転位置に対する対応する状態を示す。回転位置ＰＬ、ＰＲ、及びＯでは、作動シャフト２４は、最も深い軸線方向位置Ｒをとる。光障壁ＬＳ１及びＬＳ２は、信号値対「０／０」を供給する。回転位置Ｏから回転位置Ａまでの移行中、傾斜エレメント３０、４０の傾斜面が先細であるため、光障壁中断器４２が軸線方向位置Ｓに移動する。光障壁ＬＳ１及びＬＳ２は、信号値対「１／１」を供給する。回転位置Ａを越えると、ラッチ曲線３６により作動シャフト２４を摘まみ３２によって二つの軸線方向「引っ張り」位置Ｔ（前フォグランプ）及びＵ（後フォグランプ）に引っ張ることができる。光障壁ＬＳ１及びＬＳ２は、軸線方向位置Ｔで信号値対「１／０」を、及び軸線方向位置Ｕで信号値対「１／１」を供給する。図４では、光障壁中断器４２の別個の軸線方向位置Ｒ、Ｓ、Ｔ、及びＵと対応する光障壁システムの４つの所定の状態にＬ０乃至３が付してある。これらの状態Ｌ０乃至Ｌ３の各二つの間の移行領域は不確定であり、これに参照符号「Ｂ」が付してある。
【００１６】
図５は、状態Ｌ０乃至Ｌ３に対する回転位置ＰＬ乃至ＦＬを、移行領域Ｖ乃至Ｚ（回転角度）並びにＢ（軸線方向位置）を考慮して、決定マトリックスとして示す。この決定マトリックスでは、回転位置及び軸線方向位置の各組み合わせを以下の分野の一つに割り当てる。
−現在の状態に止まる、
−エラー、
−ヘッドライトのスイッチ、
−有効スイッチ位置。
決定プロセスは、適当なソフトウェアでマイクロ制御装置で実行できる。
【００１７】
図６は、光障壁ＬＳ１及びＬＳ２の状態に対する回転式ライトスイッチの回転／軸線方向位置の、表の形態のコンピレーションである。
【００１８】
図７は、スイッチ位置ＰＲ、ＰＬ、及びＯに届く最も深い軸線方向位置で作動シャフト２４及び光障壁中断器４２を示す。この状態では、傾斜エレメント３０、４０は軸線方向で一致する。光障壁システムは、信号値対「０／０」を供給する。
【００１９】
図８では、傾斜エレメント３０、４０は、傾斜エレメント３０、４０の傾斜面が互いに摺動し、支持体３８が圧縮ばね４４、４６によって光障壁中断器４２とともに軸線方向に移動してストップリング２８に当たった後、軸線方向高さが同じである。光障壁システムは、信号値対「１／１」を供給する。この状態では、スイッチ位置Ａ、ＳＬ、及びＦＬに届く。
【００２０】
図９は「第１引っ張り位置」を示す。作動シャフト２４をその最も深い軸線方向位置から数ｍｍだけ引き出した。支持体３８は光障壁中断器４２とともにこの軸線方向移動に従う。光障壁システムは、信号値対「０／１」を供給する。この状態では、スイッチ位置ＳＬ並びにＮＬ又はＦＬ並びにＮＬに届く。
【００２１】
図１０は、「第２引っ張り位置」を示す。作動シャフト２４をその第１引っ張り位置から数ｍｍだけ引き出した。支持体３８は光障壁中断器４２とともに再度この軸線方向移動に従う。光障壁システムは、信号値対「１／０」を供給する。この状態では、スイッチ位置ＳＬ並びにＮＳＬ又はＦＬ並びにＮＳＬに届く。
【００２２】
勿論、上文中に説明した原理を使用してライトスイッチのこの他の実施例を実施できる。重要な特徴は、一方では回転位置インジケータによって、及び他方では軸線方向位置インジケータによって提供される情報が重複しているということである。これは、明白に定められたスイッチ状態を確実にする目的のため、及び車輛のライトシステムの受入れられない状態をもたらす誤ったスイッチ状態をなくすためである。
【図面の簡単な説明】
【００２３】
【図１】プリント回路基板を含むベースプレート及び回転式ライトスイッチの作動機構の斜視図である。
【図１−ａ】摘まみを持つ回転式ライトスイッチの重要な機能部品の分解図である。
【図１−ｂ】ガイドブッシュの斜視図である。
【図２】光障壁システムが取り付けられたプリント回路基板の部分図である。
【図３】光障壁システムの光障壁中断器の側面図である。
【図３−ａ】光障壁中断器の変形例の設計の図である。
【図４】様々なスイッチ状態を回転位置及び軸線方向位置の関数として示すグラフである。
【図５】スイッチ状態の決定マトリックスの図である。
【図６】スイッチ位置を光障壁システムの状態の関数として示す表である。
【図７】図１のａに示す機能部品を様々な軸線方向位置で示す図である。
【図８】図１のａに示す機能部品を様々な軸線方向位置で示す図である。
【図９】図１のａに示す機能部品を様々な軸線方向位置で示す図である。
【図１０】図１のａに示す機能部品を様々な軸線方向位置で示す図である。
【符号の説明】
【００２４】
１０  ベースプレート
１２  プラグインコネクタ
１４  プリント回路基板
１６  接触ピン
１８  回転ポテンショメータ
２０  作動アーム
２２  作動フィンガ
２４  作動シャフト
２４ａ  ラッチピン
２６  溝状アクチュエータ
２８  半径方向ストップリング
３０  傾斜エレメント
３２  摘まみ
３４  ガイドブッシュ
３６  内ラッチ曲線
３８  リング状支持体
４０  傾斜エレメント
４２  光障壁中断器
４２ａ  主ウィング
４３ｂ  シールドウィング
４４、４６  圧縮ばね
５０  光トランスミッター
５２、５４  光レシーバー
５６  開口部
【図１】
2006069531.tif 000003
【図１−ａ】
2006069531.tif 000004
【図１−ｂ】
2006069531.tif 000005
【図２】
2006069531.tif 000006
【図３】
2006069531.tif 000007
【図３−ａ】
2006069531.tif 000008
【図４】
2006069531.tif 000009
【図５】
2006069531.tif 000010
【図６】
2006069531.tif 000011
【図７】
2006069531.tif 000012
【図８】
2006069531.tif 000013
【図９】
2006069531.tif 000014
【図１０】
2006069531.tif 000015
【外国語明細書】
2006069531000001.pdf